(57)【要約】【課題】極力コストアップを抑えた状態で、従来より重い被支持物を支持可能となる磁着支持具を提供できるよう、開発して実現させる。【解決手段】壁面Ｗに磁着される磁力手段１と、磁力手段１の下方となる位置にて壁面Ｗに当接する凭れ部２と、磁力手段１と凭れ部２とに亘って架設される支持部３とを有するとともに、支持部３の側面視形状が、支持部３における磁力手段１を支持する箇所３ａと凭れ部２を支持する箇所３ｂとが上下に非連続となる迂回形状（横向きコ字形状）に設定されている磁着支持具Ａ。支持部３は、磁力手段１を基端に備えて水平突出する上横梁部材３Ａと、凭れ部２を基端に備えて水平突出する下横梁部材３Ｂと、上横梁部材３Ａの先端部と下横梁部材３Ｂの先端部とを連結する縦部材３Ｃとを有するコ字状に構成する。【選択図】図１
2013000200.tif 000002
【特許請求の範囲】
【請求項１】
壁面に磁着される磁力手段と、前記磁力手段の下方となる位置にて前記壁面に当接する凭れ部と、前記磁力手段と前記凭れ部とに亘って架設される支持部とを有するとともに、前記支持部の側面視形状が、前記支持部における前記磁力手段を支持する箇所と前記凭れ部を支持する箇所とが上下に非連続となる迂回形状に設定されている磁着支持具。
【請求項２】
前記支持部が、前記磁力手段を基端に備えて横方向に突出する上横梁部材と、前記凭れ部を基端に備えて横方向に突出する下横梁部材と、前記上横梁部材の先端部と前記下横梁部材の先端部とを連結する縦部材とを有して構成されている請求項１に記載の磁着支持具。
【請求項３】
前記支持部が、前記磁力手段を基端に備えて横方向に突出する上横梁部材と、前記凭れ部を基端に備えて横斜め上方に突出して先端部が前記上横梁部材の先端部に連結される斜交い部材とを有して構成されている請求項１に記載の磁着支持具。
【請求項４】
前記凭れ部が、壁面との当接によって滑り止め作用を発揮可能な弾性材で構成されている請求項１〜３の何れか一項に記載の磁着支持具。
【請求項５】
前記凭れ部が、壁面に磁着される磁力手段で構成されている請求項１〜３の何れか一項に記載の磁着支持具。
【請求項６】
請求項１〜５の何れか一項に記載の磁着支持具の複数が横又は縦に並べられるとともに、それら複数の磁着支持具に亘って架設される桟部材を設けて成る磁着型什器。
【請求項７】
前記支持部が矩形形状の断面を有する角型材を有して成り、前記桟部材には前記角型材に被さって止着される取付部が設けられている請求項６に記載の磁着型什器。
【発明の詳細な説明】
【技術分野】
【０００１】
本発明は、建物の側壁、仕切り壁、天井壁などの磁力吸着可能な壁面に好適に使用される磁着支持具、並びにそれを用いた壁面型什器に関するものである。
【背景技術】
【０００２】
この種の磁着支持具としては、特許文献１において開示される吊下具や、特許文献２において開示される吊り金具などが知られている。特許文献１の吊下具（１）は、吊り下げ用のフック（４）を設けるベース（２）の裏側にマグネット（３）が収容装備されており、滑り止めシート（５）が貼着されている裏面をマグネット（３）の磁力で壁面（Ｗ）に磁着させる構造のものである。
【０００３】
特許文献２の吊り金具（８）は、磁石（１）の両側にＬ字形の鉄板（２），（３）が配され、各鉄板（２），（３）を一体的に繋ぐ橋部（５）を吊下げ用の構造部分とするものである。例えば、その図３にて示されるように、複数の吊り金具（８）を天井壁に磁着させ、生産性や施工性良く、かつ、支持強度十分に配管やダクト（１２）を吊下げ支持することが可能である。
【０００４】
上述のように便利な磁着支持具であるが故に、その使用範囲の拡大化が望まれている。その代表例は、重量物でも剥がれることなく支えることができる磁着支持具である。たとえば、濡れたコートやスキーウェア一式などの重い衣類の吊下げが可能な壁面磁着型ハンガーとか、壁面に磁着させて使用可能な物置棚や収納容器（磁着型什器）などである。これらが実現できれば、例えば、会場の一部を借りての臨時出店や、期間限定販売業務において、間仕切り壁やドアなどにハンガー、飾り棚、ショウケース等の被支持物を簡単に設営でき、また撤収も簡単に行えるものとなる。つまり、便利で使い易い利点を維持しながら結構な重さの商品も支持可能となり、磁着支持具としての使用範囲が拡大できると考えられる。
【０００５】
そのためには、磁着力のより強い磁石を装着するのが手っ取り早い手段であるが、例えば、磁石の個数を２倍や３倍として磁力を２倍、３倍とする手段では、磁石コストも２倍、３倍になってしまい、得策ではない。磁石の大きさを増やす手段でも同様である。また、強力磁石（例：サマリウムコバルト磁石）や超強力磁石（例：ネオジウム磁石）を用いる手段も考えられるが、これらの採用によってコストが飛躍的に高くなってしまい、現実的ではない。従って、従来よりも重いものを支持できる磁着支持具を実現するには更なる工夫が必要とされているものであった。
【先行技術文献】
【特許文献】
【０００６】
【特許文献１】特開２００７−１５９６８３号公報
【特許文献２】特開平８−３０３６５１号公報
【発明の概要】
【発明が解決しようとする課題】
【０００７】
本発明の目的は、極力コストアップを抑えた状態で、従来より重い被支持物を支持可能となる磁着支持具、並びにそれを用いて成る磁着型什器を提供できるよう、開発して実現させる点にある。
【課題を解決するための手段】
【０００８】
請求項１に係る発明は、磁着支持具において、壁面Ｗに磁着される磁力手段１と、前記磁力手段１の下方となる位置にて前記壁面Ｗに当接する凭れ部２と、前記磁力手段１と前記凭れ部２とに亘って架設される支持部３とを有するとともに、前記支持部３の側面視形状が、前記支持部３における前記磁力手段１を支持する箇所３ａと前記凭れ部２を支持する箇所３ｂとが上下に非連続となる迂回形状に設定されていることを特徴とするものである。
【０００９】
請求項２に係る発明は、請求項１に記載の磁着支持具において、前記支持部３が、前記磁力手段１を基端に備えて横方向に突出する上横梁部材３Ａと、前記凭れ部２を基端に備えて横方向に突出する下横梁部材３Ｂと、前記上横梁部材３Ａの先端部と前記下横梁部材３Ｂの先端部とを連結する縦部材３Ｃとを有して構成されていることを特徴とするものである。
【００１０】
請求項３に係る発明は、請求項１に記載の磁着支持具において、前記支持部３が、前記磁力手段１を基端に備えて横方向に突出する上横梁部材３Ａと、前記凭れ部２を基端に備えて横斜め上方に突出して先端部が前記上横梁部材３Ａの先端部に連結される斜交い部材３Ｄとを有して構成されていることを特徴とするものである。
【００１１】
請求項４に係る発明は、請求項１〜３の何れか一項に記載の磁着支持具において、前記凭れ部２が、壁面Ｗとの当接によって滑り止め作用を発揮可能な弾性材８で構成されていることを特徴とするものである。
【００１２】
請求項５に係る発明は、請求項１〜３の何れか一項に記載の磁着支持具において、前記凭れ部２が、壁面Ｗに磁着される磁力手段１で構成されていることを特徴とするものである。
【００１３】
請求項６に係る発明は、磁着型什器において、請求項１〜５の何れか一項に記載の磁着支持具Ａの複数が横又は縦に並べられるとともに、それら複数の磁着支持具Ａに亘って架設される桟部材１１を設けて成ることを特徴とするものである。
【００１４】
請求項７に係る発明は、請求項６に記載の磁着型什器において、前記支持部３が矩形形状の断面を有する角型材３Ａを有して成り、前記桟部材１１には前記角型材３Ａに被さって止着される取付部１５が設けられていることを特徴とするものである。
【発明の効果】
【００１５】
請求項１の発明によれば、詳しくは実施形態の項にて説明するが、磁力手段と凭れ部とを上下に非連続として支持部を側面視で迂回形状とするだけのシンプル構造工夫により、支持部として十分な強度や剛性を持って軽量化やコストダウンを可能としながら、壁面から剥がれて落下することない磁着状態を維持しての耐荷重を、磁力手段を変えることなく飛躍的に増大させることが可能となる。その結果、極力コストアップを抑えた状態で、従来より重い被支持物を支持可能となる磁着支持具を提供することができる。
【００１６】
請求項２の発明によれば、支持部が側面視でコ字状に形成される状態となるので、上横梁部材や下横梁部材に被支持対象を吊下げたり、引っ掛け支持したりがし易いとともに、縦部材の存在によって強度剛性十分なラーメン構造とすることも可能であり、より強くかつ扱い易い磁着支持具とすることができる利点がある。
【００１７】
請求項３の発明によれば、上横梁部材の全部又は一部と斜交い部材とによる三角構造により、材料的に無駄の無い経済的な支持部としながら、請求項１又は２の発明による前記効果を奏することができる利点がある。
【００１８】
請求項４の発明のように、弾性材で凭れ部を構築すれば、壁面に対する有効な滑り止め作用が発揮されて磁力手段による磁着維持性能を効率良く得られ、請求項５のように、磁力手段で凭れ部を構築すれば、構造簡単ながらも耐せん断荷重も明確に増大させることが可能となる利点がある。
【００１９】
請求項６の発明によれば、前記のように種々の利点を有する磁着支持具の複数と桟部材とにより、壁面などに磁着維持可能な商品棚、展示台、陳列ケースなどの什器、即ち、磁着型什器を得ることができる。この場合、請求項７のように、桟部材をその取付部が支持部を構成する角型材に被さって止着される構造とすれば、桟部材を支持部に位置決めしながら取付けることができる合理構造の磁着型什器を提供することができる。
【図面の簡単な説明】
【００２０】
【図１】磁着支持具の側面図（実施例１）
【図２】（ａ）図１の磁着支持具の平面図、（ｂ）図１の磁着支持具の正面図
【図３】図１の磁着支持具の要部を示し、（ａ）は磁力手段と支持部との連結部の一部切欠き側面図、（ｂ）は支持部と凭れ部との連結部の一部切欠き側面図
【図４】磁着型棚受を示す一部切欠きの正面図（実施例２）
【図５】図４の磁着型棚受の支持部と桟部材との連結構造の要部を示し、（ａ）は平面図、（ｂ）は一部切欠きの正面図
【図６】実施例３による磁着支持具を示し、（ａ）は平面図、（ｂ）は側面図
【図７】（ａ）実施例４による磁着支持具の左側面図、（ａ）は実施例５による磁着支持具の右側面図
【図８】概略の力学作用図を示し、（ａ）は従来の磁着支持具、（ｂ）は本発明の磁着支持具
【発明を実施するための形態】
【００２１】
以下に、本発明による磁着支持具、並びに磁着型什器の実施の形態を、図面を参照しながら説明する。
【００２２】
〔実施例１〕
実施例１による磁着支持具Ａは、図１，図２に示すように、鋼板製等の磁着可能な壁面Ｗに磁着保持可能なものであって、壁面Ｗに磁着される磁力手段１と、磁力手段１の下方となる位置にて壁面Ｗに当接する凭れ部２と、被支持対象を支持すべく磁石１と凭れ部２とに亘って架設される支持部３とを有して構成されている。図１は、仕切り壁等の壁面Ｗに磁着されている使用状態を示している。
【００２３】
磁力手段１は、図１，図２，図３（ａ）に示すように、矩形の永久磁石４と鉄製の金属板５とを交互に並べてなる大小の磁石部１Ａ，１Ｂを、プラスチック板材製の基板６の裏面６ｂに貼着する等の手段によって取付けられて構成されている。大磁石部１Ａと小磁石部１Ｂとの間には明確な隙間が空けられており、その隙間部分の基板６には、表面６ａに基端部３ａが位置される状態で支持部３がビス７止めされている。なお、図示は省略るが、大小の磁石部１Ａ，１Ｂにおける複数の金属板５の磁着側面には、壁面Ｗを傷付けず保護するためのガード布が添着されている。
【００２４】
支持部３は、図１，図２に示すように、磁着支持具Ａが垂直な壁面Ｗに磁着される使用状態において、磁力手段１を基端に備えて水平方向（横方向の一例）に突出する上横梁部材３Ａと、凭れ部２を基端に備えて水平方向（横方向の一例）に突出する下横梁部材３Ｂと、上横梁部材３Ａの先端部と下横梁部材３Ｂの先端部とを連結する縦部材３Ｃとを一体的に有して構成されている。各部材３Ａ，３Ｂ，３Ｃは、いずれも中実角断面を有する金属棒（金属製の角型材）で形成されている。支持部３は、側面視形状が壁面Ｗ側に開放されるコ字形状となる形に形成されており、それによって磁力手段１を支持する箇所である上側の基端部３ａと凭れ部２を支持する箇所である下側の基端部３ｂとが上下に非連続となる迂回形状に設定されている。
【００２５】
凭れ部２は、図１，図３（ｂ）に示すように、略円筒状のゴムクッション８を、その中央に形成される凹み８ａ及び貫通孔８ｂを通すビス１０を用いて、下横梁部材３Ｂの基端面９に取付けることで構成されている。つまり、凭れ部２は、壁面Ｗとの当接によって滑り止め作用を発揮可能な弾性材（ゴム）で構成されている。
【００２６】
このような構成の磁着支持具Ａは、その上部が永久磁石４で壁面Ｗに磁着され、支持部３の迂回形状故に明確に下方に離れた下部はゴムクッション８を介して壁面Ｗに当接されている。その利点は、上側の基端部３ａと下側の基端部３ｂとを上下に非連続とするだけのシンプル構造でありながら、壁面Ｗから剥がれて落下することなく支持部３に作用する荷重を飛躍的に増大させることが可能となることである。次に、その理論を説明する。
【００２７】
まず、図８（ａ）に従来の一般的な磁着支持具Ａの一例を示し、磁力手段１の上下中央に支持部３が突設される構造である。支持部３の壁面Ｗからの水平方向の突出量をＬ、磁力手段１の壁面Ｗに対する上下の磁着長さの半分をＤ、磁力手段１による磁着力をＦとし、、磁力手段１の下端を壁面Ｗからの剥がれ支点Ｐとするモーメントの釣合いより、支持部３の先端に作用する最大荷重Ｍ１は、Ｍ１＝Ｆ×Ｄ／Ｌ…（１）となる。
【００２８】
次に、図８（ｂ）に本発明による磁着支持具Ａの一例を示す。図１などに示すものと同等であって、側面視でコ字状を呈する支持部３を有し、磁力手段１及び支持部３の壁面Ｗからの突出量は図８（ａ）に示すものと同じとし、磁力手段１の上下中央と凭れ部２の当接箇所Ｐとの上下間距離を３Ｄとする。この場合、支持部３の先端に作用する最大荷重Ｍ２は、Ｍ２＝Ｆ×３Ｄ／Ｌ…（２）となり、これは上記式（１）によるＭ１の３倍である。つまり、ハンガーや棚などの支持部３に作用する被支持対象の耐荷重が、従来の３倍に増大している。
【００２９】
しかも、側面視で迂回形状となる支持部３は、荷重の作用する先端部側において上下の横梁部材３Ａ，３Ｂが連結される構造であるから、例えば、側面視でＬ字形状や本発明とは逆向きのコ字形状を呈するなど、上下の基端部３ａ，３ｂが連続する構造の磁着支持具に比べて、支持部としての耐剛性、耐強度が明確に向上するから、支持部３として十分な強度や剛性を持ちながら軽量化やコストダウンが可能になる。支持部３が側面視でコ字状に形成されているので、上横梁部材３Ａや下横梁部材３Ｂに被支持対象を吊下げたり、引っ掛け支持したりがし易いとともに、縦部材３Ｃの存在によって強度剛性十分なラーメン構造のものに構成されている。
【００３０】
ところで、ビス７の操作により、大磁石部１Ａと小磁石部１Ｂとが、図１に示す場合と上下逆さまとなる状態に磁力手段１と支持部３とを構成して、実質的に磁力手段１と凭れ部２との上下間隔を広げ、より耐剥がれ力を向上させた磁着支持具Ａとして使うことが可能である。つまり、壁面などの磁着場所の条件や被支持対象の大きさや重さなどの諸条件により、磁力手段１の上下の向きを２種類に対応して使うことが可能である。
【００３１】
〔実施例２〕
次に、図１に示す磁着支持具Ａを複数用いて成る磁着型什器（壁面磁着型什器）である棚受（磁着型棚受）Ｂについて説明する。棚受けＢは、図４に示すように、磁着支持具Ａの２個（複数の一例）が間仕切り１２の壁面Ｗに磁着される状態で横に並べられるとともに、それら左右一対の磁着支持具Ａ，Ａそれぞれの支持部３，３に亘って架設される桟部材１１を設けて構成されている。例えば、図４に仮想線で示すように、桟部材１１と左右の上横梁部材３Ａ，３Ａに亘って載置される棚板１７を設ければ、棚として使用することができる。なお、図４にて仮想線で示すように、基板６の表面６ａの左右中央領域に木目やその他の化粧部分２１を設けても良い。
【００３２】
桟部材１１は、図４，図５に示すように、左右端の長さの短い端角材１３，１３と左右中央の長い主角材１４と、一対の取付金具（取付部の一例）１５，１５と、一対のエンドプレート１６，１６とを有して成る長尺状のものに構成されている。即ち、取付金具１５は、主角材１４の一端に固着される側壁部１５ａと、端角材１３の主角材側端に固着される側壁部１５ｂと、各側壁部１５ａ，１５ｂの上端どうしを繋ぐ頂壁部１５ｃとを備えて、前後方向視で下向き開放のコ字状を呈する板金材で形成されている。端角材１３は中実四角断面を有するものであり、主角材１４は、中実四角断面を有する端角材１３と同様のもの、或いは角パイプ材から成るものでも良い。
【００３３】
取付金具１５は、図５（ａ），（ｂ）に示すように、丁度上横梁部材３Ａを跨いだ状態で載置されるとともに、上横梁部材３Ａの先端部にて下方に凹入形成されている雌ねじ１８と、頂壁部１５ｃのテーパー孔２０に挿入される皿ビス１９とを用いて上横梁部材３Ａの先端部に被さって止着されている。エンドプレート１６は、端角材１３の外側端に皿ビス２２を用いて止着されており、その止着状態では、端角材１３の上面１３ａよりエンドプレート１６の上端縁１６ａが若干上方に突出するように設定されている。つまり、支持部３が矩形形状の断面を有する角型材から成り、桟部材１１には角型材に嵌合して止着される取付部１５が設けられている。
【００３４】
主角材１４の上面１４ａと、取付金具１５の上面１５ｄと、端角材１３の上面１３ａとは同一高さで面一となる状態に形成されている。また、支持部３としての最大突出端の位置と、桟部材１１の壁面Ｗ側の反対側となる前端とが合致する状態で、これら一対の磁着支持具Ａ，Ａと桟部材１１とが一体化されている。左右のエンドプレート１６，１６は、棚板１７などの載置物の移動止め手段（ストッパー）として機能させることが可能である。このように、各取付金具１５が、対応する磁着支持具Ａの上横梁部材３Ａ先端にビス止めされることで三者Ａ，１１，Ａが一体化されて壁面Ｗに磁着支持されることが可能な磁着型什器Ｂが構成されている。
【００３５】
〔実施例３〕
磁着支持具Ａは、図６（ａ），（ｂ）に示すように、磁力手段１を基端に備えて横方向に突出する上横梁部材３Ａと、凭れ部２を基端に備えて横斜め上方に突出して先端部が上横梁部材３Ａの先端部に連結される斜交い部材３Ｄとを有して構成されるとともに、凭れ部２が磁力手段１で形成される構造の磁着支持具Ａでも良い。磁力手段１は、中実円筒形の磁石４の２個を横並列状態で基板６に止着して成り、それと全く同じものを凭れ部２として採用している。基端が基板６に溶着されている上横梁部材３Ａの先端と、基端が斜め傾斜する状態で基板６に溶着されている斜交い部材３Ｄの先端とは溶着一体化されている。支持部３は、磁力手段１と凭れ部２とが上下に非連続となるように側面視で迂回形状に形成されている。
【００３６】
この実施例３の磁着支持具Ａは、磁力手段１で凭れ部２としてあるので、剥がれ支点Ｐ（図８参照）を中心としての揺動剥がれモーメントは、図１に示す実施例１の磁着支持具Ａと同じか微増程度ではある。しかしながら、図６（ａ）に示すように、支持部３の壁面Ｗに近い箇所に荷重Ｑが作用する荷重に対する力、即ち耐せん断荷重については磁力手段１の最大２倍となり、磁力手段１として互いに同じものを用いた場合には図１に示す実施例１の磁着支持具Ａのほぼ２倍となる利点がある。つまり、磁力手段１で凭れ部２が兼用されるので部品種類数の増加を抑制しながら、かつ、剥がれ強さ（耐剥がれ力）の強化を図りながら、耐せん断荷重の倍増が可能となる磁着支持具Ａが得られている。
【００３７】
〔実施例４〕
図７（ａ）に示す実施例４の磁着支持具Ａでも良い。この磁着支持具Ａは、ゴムクッション８を用いた凭れ部２と、側面視で図６（ｂ）に示すものと同様な三角形状を呈する支持部３とを有するものである。支持部３は、互いの先端部どうしが相対角度調節可能かつ相対係止されるように枢支連結（枢着）される上横梁部材３Ａと、斜交い部材３Ｄと、を有して構成されている。上横梁部材３Ａの基端に磁力手段１が取付けられ、斜交い部材３Ｄの基端にもゴムクッション８が取付けられている。
【００３８】
例えば、一対又は３個以上の磁着支持具Ａの上横梁部材３Ａに亘る棚板１７を載置し、上横梁部材３Ａにおける壁面Ｗから遠い箇所と近い箇所とで棚板１７をビス止めするなどして止着すれば、壁面磁着型什器（壁面棚）Ｂとして使用することが可能である。
【００３９】
〔実施例５〕
図７（ｂ）に示す実施例５の磁着支持具Ａでも良い。この磁着支持具Ａは、互いに先端部が連結された下横梁部材３Ｂと斜交い部材３Ｄとを有して構成され、側面視で下拡がりの三角形を呈する支持部３とされた以外は、図７（ａ）に示す実施例４のものと同じである。例えば、一対又は３個以上の磁着支持具Ａの下横梁部材３Ｂに亘る棚板１７を載置し、下横梁部材３Ｂにおける壁面Ｗから遠い箇所と近い箇所とで棚板１７をビス止め止着すれば、壁面磁着型什器（壁面棚）Ｂとして使用することが可能である。
【００４０】
〔別実施例〕
磁着支持具Ａの一対又は３個以上を上下に並べ、各支持部３のサイドに位置して上下に延びる金網板や多孔ボードなどの桟部材を、各支持部３に止着して成る縦形の磁着型什器（図示省略）を構成することも可能である。磁力手段１として、電磁石などの永久磁石以外のものを用いることが可能であり、凭れ部２として、ゴム以外の弾性材や合成樹脂、或いは粘性材料などを用いることが可能である。実施例３における凭れ部２は、その上側の磁力手段１とは異なる要素（形状、大きさ、磁力など）を持つなどの他の磁力手段１を有して構成されるものでも良い。
【００４１】
図４に示す磁着型什器Ｂにおいて、各支持部３，３に亘ってビス止めされる桟部材１１を２個以上設けて、それら複数の桟部材１１に商品、飾り、展示物などの被支持対象が直接に載置支持できるようにして、棚板１７を省略可能としたものも可能である。また、上側とな磁力手段１が左右や上下に複数備えるとか、凭れ部２が左右や上下に複数備えられた磁着支持具Ａも可能である。
【符号の説明】
【００４２】
１          磁力手段
２          凭れ部
３          支持部
３Ａ        上横梁部材、角型材
３Ｂ        下横梁部材
３Ｃ        縦部材
３Ｄ        斜交い部材
３ａ        磁力手段を支持する箇所
３ｂ        凭れ部を支持する箇所
８          弾性材
１１        桟部材
１５        取付部
Ａ          磁着支持具
Ｗ          壁面
【図１】
2013000200.tif 000003
【図２】
2013000200.tif 000004
【図３】
2013000200.tif 000005
【図４】
2013000200.tif 000006
【図５】
2013000200.tif 000007
【図６】
2013000200.tif 000008
【図７】
2013000200.tif 000009
【図８】
2013000200.tif 000010